(57)【要約】【課題】チップの再研磨を容易に且つ短時間に行うことが可能であり、刃先寿命をより向上させることができるとともに再研磨の作業時間をより効率化することができる切削工具、及び切削工具の研磨方法を提供する。【解決手段】カッターボディ１０の先端部の外周面には、カッター回転軸ＣＺに直交する方向に複数の支軸３０が設けられている。チップＣＢは、各支軸に取り付けられ、カッター回転軸方向に突出しており、支軸回りに揺動可能であり、支軸の周囲の規制部１２（２０Ａ、２０Ｃ）にて揺動範囲が規制されている。チップＣＢは、カッターボディを正転方向に回転させた場合、揺動範囲の一端である第１規制位置に保持されてワークＷを切削可能であり、カッターボディを逆転方向に回転させた場合、揺動範囲の他端である第２規制位置に保持されて刃先Ｃ１の逃げ面ＭＮ１をカッター回転軸に直交する直交面と一致させることが可能な構造を有する。【選択図】図１
2010149231.tif 000002
【特許請求の範囲】
【請求項１】
カッター回転軸回りに回転可能なカッターボディと、
前記カッターボディにおける前記カッター回転軸方向の先端部に設けられた刃である複数のチップと、を備えた切削工具において、
前記カッターボディの先端部には、複数の前記チップのそれぞれに対応させた複数の支軸が設けられており、
前記チップのそれぞれは、それぞれの前記支軸に取り付けられて取り付けられた支軸回りに揺動自在であるとともに、前記カッターボディよりも前記チップの一部が突出しており、
前記支軸回りに揺動自在に支持したチップの揺動範囲は、前記支軸の周囲に設けられた規制部にて、前記揺動範囲の一方の端である第１規制位置から、前記揺動範囲の他方の端である第２規制位置までに規制されており、
更に、前記チップを前記第１規制位置に保持可能な状態と、前記チップを前記第２規制位置に保持可能な状態と、を切替え可能な切替え手段を備え、
前記切替え手段を第１の設定状態に設定し、切削対象のワークを前記チップに当接させると、全ての前記チップが前記第１規制位置に自動的に保持されて前記チップにて前記ワークを切削可能となり、
前記切替え手段を第２の設定状態に設定し、前記チップを研磨可能な研磨面を前記チップに当接させると、全ての前記チップが前記第２規制位置に自動的に保持されて前記研磨面にて前記チップを研磨可能となる、
切削工具。
【請求項２】
カッター回転軸回りに回転可能なカッターボディと、
前記カッターボディにおける前記カッター回転軸方向の先端部に設けられた刃である複数のチップと、を備えた切削工具において、
前記カッターボディの先端部には、複数の前記チップのそれぞれに対応させた複数の支軸が、前記カッターボディの外周面に、前記カッター回転軸に直交する方向に設けられており、
前記チップのそれぞれは、
それぞれの前記支軸に取り付けられて前記カッターボディよりも前記チップの一部が前記カッター回転軸方向に突出しており、
取り付けられた支軸回りに揺動可能であるとともに、それぞれの前記支軸の周囲における前記カッターボディに設けられたそれぞれの規制部にて揺動範囲が規制されており、
前記カッターボディを一方の方向である正転方向に回転させた場合は、前記揺動範囲の一方の端である第１規制位置に保持された状態で前記カッターボディよりも突出する位置に設けられた刃先で切削対象のワークを切削可能であり、
前記カッターボディを前記一方の方向と反対の方向である逆転方向に回転させた場合は、前記揺動範囲の他方の端である第２規制位置に保持された状態で、それぞれの前記刃先の逃げ面を前記カッター回転軸に直交する直交面と一致させることが可能な構造を有する、
切削工具。
【請求項３】
請求項１または２に記載の切削工具を用いて前記チップのそれぞれを研磨する切削工具の研磨方法であって、
前記カッターボディを、切削対象のワークを切削する場合の回転方向である正転方向とは反対の逆転方向に回転させ、前記カッター回転軸に直交する研磨面を前記カッター回転軸方向から前記チップに押し付けて、前記カッター回転軸に直交する直交面と一致させた前記逃げ面のそれぞれを同時に研磨する、
切削工具の研磨方法。
【請求項４】
請求項１または２に記載の切削工具であって、
前記規制部のそれぞれには、前記チップのそれぞれを前記第１規制位置に保持する弾性力を有する弾性部材が設けられており、
前記弾性力が付与されている方向は、前記チップが前記第１規制位置に向かって揺動する方向である、
切削工具。
【請求項５】
請求項４に記載の切削工具であって、
前記弾性力の大きさは、前記カッターボディを、切削対象のワークを切削する場合の回転方向である正転方向とは反対の逆転方向に回転させて前記カッター回転軸に直交する研磨面を、前記カッター回転軸方向から前記逃げ面に押し付けて研磨する際に、前記研磨面を押し付ける力と、前記研磨による研磨抵抗の力と、によって前記チップが前記第２規制位置に向かって揺動する方向に付与される力よりも小さな力に設定されている、
切削工具。
【請求項６】
請求項１または２に記載の切削工具であって、
前記規制部のそれぞれには、前記チップのそれぞれを前記第１規制位置に保持するエアを噴出するエア噴出口が設けられており、
前記エアが噴出される方向は、前記チップが前記第１規制位置に向かって揺動する方向である、
切削工具。
【発明の詳細な説明】
【技術分野】
【０００１】
本発明は、いわゆるフライス型の切削工具、及び当該切削工具の研磨方法に関する。
【背景技術】
【０００２】
従来より、切削工具として、平面の高能率除去加工には、いわゆるフライス工具が一般的に用いられている。
切削工具には、高速度鋼の材質で本体と刃先が一体の工具（図４（Ａ）、（Ｂ）参照）や、後述する特許文献に開示されているように刃先が交換可能な構成で、刃先の材質として超硬合金やサーメットを用いたスローアウェイチップ（以降、スローアウェイチップをチップと記載する）が取り付けられている工具がある。なお、刃先は図４（Ｃ）に示すように、粗切削や仕上げ切削等、目的とする切削に合致するすくい角θＳ及び逃げ角θＮとなるように、すくい面ＭＳ及び逃げ面ＭＮの傾斜角が設定されている。
これらの工具において、刃先が磨耗したり欠けたりした場合は、刃先が一体型の切削工具（以降、刃先一体型切削工具と記載する）では該当する刃先が再研磨され、チップが用いられている切削工具（以降、刃先交換型切削工具と記載する）では該当するチップが交換されている。
また、交換時間の短縮や自動化を目的として工具自動交換装置を用いた場合、加工装置の価格が大幅に上昇してしまう。
【０００３】
そこで、特許文献１に記載された従来技術は、刃先交換型切削工具において、チップを切削工具から取り外すことなく再研磨できるものであって、作業者がチップと工具本体との間にスペーサを挟んでそれぞれのチップの逃げ角がゼロとなるように変更して（同時にすくい角も変更される）、それぞれのチップの逃げ面が同一平面上となるようにして、更に切削工具を切削時とは逆方向に回転させることで逃げ面を再研磨できる、刃先交換型切削工具が開示されている。
また、特許文献２に記載された従来技術では、チップを突出方向に進退させる機構を備え、チップの再研削代または再研削回数を増やすことにより、チップを有効利用して、チップの寿命をより向上させることができる、スローアウェイ式切削工具が開示されている。
【特許文献１】特開２０００−２５４８１３号公報
【特許文献２】特開２００５−８１４５８号公報
【発明の開示】
【発明が解決しようとする課題】
【０００４】
特許文献１に記載された従来技術は、刃先交換型切削工具において、チップを切削工具から取り外すことなく再研磨することで、チップの寿命を延ばすことができる。しかし、チップのそれぞれを取り外す必要はないが、それぞれのチップの逃げ角を変更するために、作業者がそれぞれのチップと工具本体との間にスペーサを挿入しなければならないので、非常に手間と時間がかかる。
また、特許文献２に記載された従来技術では、チップを研削して突出量が少なくなった場合に、チップのそれぞれに隣接して設けられてチップの突出量を決める拘束部材を、１個ずつ交換または位置変更（ネジの締め付け）する必要があるので、チップの寿命をより向上させることができるが、非常に手間がかかる。
本発明は、このような点に鑑みて創案されたものであり、複数のチップを用いた刃先交換型の切削工具において、チップの再研磨を容易に且つ短時間に行うことが可能であり、刃先寿命をより向上させることができるとともに再研磨の作業時間をより効率化することができる切削工具、及び切削工具の研磨方法を提供することを課題とする。
【課題を解決するための手段】
【０００５】
上記課題を解決するための手段として、本発明の第１発明は、請求項１に記載されたとおりの切削工具である。
請求項１に記載の切削工具は、カッター回転軸回りに回転可能なカッターボディと、前記カッターボディにおける前記カッター回転軸方向の先端部に設けられた刃である複数のチップと、を備えた切削工具である。
前記カッターボディの先端部には、複数の前記チップのそれぞれに対応させた複数の支軸が設けられており、前記チップのそれぞれは、それぞれの前記支軸に取り付けられて取り付けられた支軸回りに揺動自在であるとともに、前記カッターボディよりも前記チップの一部が突出しており、前記支軸回りに揺動自在に支持したチップの揺動範囲は、前記支軸の周囲に設けられた規制部材にて、前記揺動範囲の一方の端である第１規制位置から、前記揺動範囲の他方の端である第２規制位置までに規制されている。
更に、前記チップを前記第１規制位置に保持可能な状態と、前記チップを前記第２規制位置に保持可能な状態と、を切替え可能な切替え手段を備え、前記切替え手段を第１の設定状態に設定し、切削対象のワークを前記チップに当接させると、全ての前記チップが前記第１規制位置に自動的に保持されて前記チップにて前記ワークを切削可能となり、前記切替え手段を第２の設定状態に設定し、前記チップを研磨可能な研磨面を前記チップに当接させると、全ての前記チップが前記第２規制位置に自動的に保持されて前記研磨面にて前記チップを研磨可能となる。
【０００６】
また、本発明の第２発明は、請求項２に記載されたとおりの切削工具である。
請求項２に記載の切削工具は、カッター回転軸回りに回転可能なカッターボディと、前記カッターボディにおける前記カッター回転軸方向の先端部に設けられた刃である複数のチップと、を備えた切削工具である。
前記カッターボディの先端部には、複数の前記チップのそれぞれに対応させた複数の支軸が、前記カッターボディの外周面に、前記カッター回転軸に直交する方向に設けられており、前記チップのそれぞれは、それぞれの前記支軸に取り付けられて前記カッターボディよりも前記チップの一部が前記カッター回転軸方向に突出しており、取り付けられた支軸回りに揺動可能であるとともに、それぞれの前記支軸の周囲における前記カッターボディに設けられたそれぞれの規制部にて揺動範囲が規制されている。
そして前記チップのそれぞれは、前記カッターボディを一方の方向である正転方向に回転させた場合は、前記揺動範囲の一方の端である第１規制位置に保持された状態で前記カッターボディよりも突出する位置に設けられた刃先で切削対象のワークを切削可能であり、前記カッターボディを前記一方の方向と反対の方向である逆転方向に回転させた場合は、前記揺動範囲の他方の端である第２規制位置に保持された状態で、それぞれの前記刃先の逃げ面を前記カッター回転軸に直交する直交面と一致させることが可能な構造を有する。
【０００７】
また、本発明の第３発明は、請求項３に記載されたとおりの切削工具の研磨方法である。
請求項３に記載の切削工具の研磨方法は、請求項１または２に記載の切削工具を用いて前記チップのそれぞれを研磨する切削工具の研磨方法であって、前記カッターボディを、切削対象のワークを切削する場合の回転方向である正転方向とは反対の逆転方向に回転させ、前記カッター回転軸に直交する研磨面を前記カッター回転軸方向から前記チップに押し付けて、前記カッター回転軸に直交する直交面と一致させた前記逃げ面のそれぞれを同時に研磨する、切削工具の研磨方法である。
【０００８】
また、本発明の第４発明は、請求項４に記載されたとおりの切削工具である。
請求項４に記載の切削工具は、請求項１または２に記載の切削工具であって、前記規制部のそれぞれには、前記チップのそれぞれを前記第１規制位置に保持する弾性力を有する弾性部材が設けられており、前記弾性力が付与されている方向は、前記チップが前記第１規制位置に向かって揺動する方向である。
【０００９】
また、本発明の第５発明は、請求項５に記載されたとおりの切削工具である。
請求項５に記載の切削工具は、請求項４に記載の切削工具であって、前記弾性力の大きさは、前記カッターボディを、切削対象のワークを切削する場合の回転方向である正転方向とは反対の逆転方向に回転させて前記カッター回転軸に直交する研磨面を、前記カッター回転軸方向から前記逃げ面に押し付けて研磨する際に、前記研磨面を押し付ける力と、前記研磨による研磨抵抗の力と、によって前記チップが前記第２規制位置に向かって揺動する方向に付与される力よりも小さな力に設定されている。
【００１０】
また、本発明の第６発明は、請求項６に記載されたとおりの切削工具である。
請求項６に記載の切削工具は、請求項１または２に記載の切削工具であって、前記規制部のそれぞれには、前記チップのそれぞれを前記第１規制位置に保持するエアを噴出するエア噴出口が設けられており、前記エアが噴出される方向は、前記チップが前記第１規制位置を向かって揺動する方向である。
【発明の効果】
【００１１】
請求項１に記載の切削工具を用いれば、切替え手段を第１の設定状態にしてワークをチップに当接させると、全てのチップを自動的に第１規制位置とすることができる。また、切替え手段を第２の設定状態にして研磨面をチップに当接させると、全てのチップを自動的に第２規制位置とすることができる。
このように、チップの再研磨を容易に且つ短時間に行うことが可能であり、刃先寿命をより向上させることができるとともに再研磨の作業時間をより効率化することができる。
【００１２】
請求項２に記載の切削工具を用いれば、フライス型の刃先交換型切削工具において、ワークを切削する場合は切削工具を正転方向に回転させればよく、チップを研磨する場合は切削工具を逆転方向に回転させて、それぞれのチップの逃げ面を直交面と一致させることができる。それぞれのチップの逃げ面を同一平面上にすることができれば、研磨は容易である。
このように、チップを研磨するために、作業者がチップを１個ずつ調整等する必要がなく、再研磨の作業時間をより効率化することができる。
【００１３】
また、請求項３に記載の切削工具の研磨方法によれば、同一平面上に配置したそれぞれのチップの逃げ面を、まとめて同時に研磨することができる。
これにより、刃先寿命をより向上させることができるとともに再研磨の作業時間をより効率化することができる。
【００１４】
また、請求項４に記載の切削工具によれば、例えば図４（Ｂ）のＡＡ部に示すように、チップが一旦ワークから離間した後、再度ワークに切り込むような場合であっても、ワークから離間した際のチップが揺動範囲内でふらつくことを回避し、第１規制位置に保持することができるので、チップがワークから離間した後、再度ワークに切り込む際、適切なすくい角で切り込むことができる。
【００１５】
また、請求項５に記載の切削工具では、弾性力が大きすぎるとチップを第２規制位置に揺動させることが困難となるため、弾性力の大きさを適切に設定している。
これにより、切削工具を逆転方向に回転させてチップを研磨する際にチップを第２規制位置へと揺動させることが容易となる。
【００１６】
また、請求項６に記載の切削工具によれば、エアの圧力によってチップを第１規制位置に保持することができる。
このため、例えば図４（Ｂ）のＡＡ部に示すように、チップが一旦ワークから離間した後、再度ワークに切り込むような場合であっても、ワークから離間した際のチップが揺動範囲内でふらつくことを回避し、第１規制位置に保持することができるので、チップがワークから離間した後、再度ワークに切り込む際、適切なすくい角で切り込むことができる。なお、逆転方向に回転させてチップを研磨する場合はエアの噴出を停止すればよい。
【発明を実施するための最良の形態】
【００１７】
以下に本発明を実施するための最良の形態を図面を用いて説明する。図１は、本発明の切削工具１の一実施の形態における側面図の例を示している。なお、本実施の形態にて説明する切削工具１は、全てフライス型の刃先交換型切削工具である。
なお、図４（Ａ）〜（Ｃ）に従来の刃先が一体型の切削工具１００（この場合、ワークＷの平面を切削するフライス工具）の例を示す。図４（Ａ）はワークＷの平面を切削している切削工具１００の側面図の例を示しており、図４（Ａ）のＡ方向から見た図が図４（Ｂ）である。また図４（Ｃ）は、図４（Ａ）における刃先ＢＲの拡大図である。切削工具１００はカッター回転軸ＣＺ回りに回転しながらＸ軸方向に移動してワークＷの平面を切削加工する。なお、一体型の切削工具１００では、磨耗した刃先を研磨する場合、それぞれの刃先のすくい面ＭＳまたは逃げ面ＭＮを１つずつ研磨しており、非常に手間がかかっている。
【００１８】
●［チップの形状が略四角形の切削工具１の例（図１）］
図１を用いて、チップＣＢが略四角形の場合のフライス型の切削工具１について説明する。図１（Ａ）は切削工具１を正転方向に回転させて複数のチップＣＢの刃先Ｃ１にてワークＷを切削する様子を示しており、図１（Ｂ）は切削工具１を逆転方向に回転させて複数のチップＣＢの逃げ面ＭＮ１を同一平面上に設定し、砥石Ｔの研磨面にて同時に研磨する様子を示している。
【００１９】
切削工具１は、カッター回転軸ＣＺ回りに回転可能な略円柱状（または略円筒状）のカッターボディ１０と、カッターボディ１０におけるカッター回転軸ＣＺ方向の先端部に設けられて支軸３０回りに揺動可能な複数のチップＣＢと、チップＣＢの周囲に設けられてチップＣＢの揺動範囲を規制する規制部１２とで構成されている。
カッターボディ１０におけるカッター回転軸ＣＺ方向の先端部には、複数のチップＣＢのそれぞれに対応させた複数の支軸３０が設けられている。図１〜図３に示すフライス型の切削工具１では、支軸３０のそれぞれは、カッターボディ１０の外周面に、カッター回転軸ＣＺに直交する方向に設けられている。
【００２０】
チップＣＢのそれぞれは、それぞれの支軸３０に取り付けられており、図１〜図３に示すフライス型の切削工具１では、各チップＣＢはカッターボディ１０よりもカッター回転軸ＣＺ方向に一部が突出しており、取り付けられた支軸３０回りに揺動自在である。また、チップＣＢには、すくい面ＭＳ１と逃げ面ＭＮ１にて、刃先Ｃ１が形成されている。
カッターボディ１０における各支軸３０の周囲には、支軸３０に取り付けられたチップＣＢの揺動範囲を規制する規制部１２が設けられている。
ここで、図１（Ａ）に示すようにＡ方向から見て右回りを正転方向の回転とし、図１（Ｂ）に示すようにＡ方向から見て左回りを逆転方向の回転とする。
図１（Ａ）に示すように、切削工具１を正転方向に回転させてチップＣＢをワークＷに当接させると、チップＣＢの外周面の一部が規制部１２に形成された第１規制面２０Ａ、２０Ｂにて支持され、チップＣＢは第１規制位置に保持される。なお、第１規制位置は、図１（Ａ）に示すチップＣＢの位置であり、チップＣＢの揺動範囲の一方の端となる位置である。そして図１（Ａ）の例では、チップＣＢは、約±０度のすくい角を有する刃先Ｃ１にて切削加工する切削工具１となる（刃先Ｃ１がカッター回転軸ＣＺ方向に最も突出する）。
【００２１】
また、チップＣＢは、ピンＰを介して付与される弾性力にて、揺動範囲の一方の端となる第１規制位置に押し付けられている。
規制部１２には穴部ＰＨが形成されており、穴部ＰＨにはピンＰ及び弾性部材ＰＳが収容されている。そして弾性部材ＰＳの付勢力（弾性力）の方向は、図１（Ａ）に示すように、チップＣＢが第１規制位置に向かって揺動する方向である。
穴部ＰＨ、ピンＰ、弾性部材ＰＳは省略することも可能であるが、図１（Ａ）、（Ｂ）に示すように、これらを有する場合、ピンＰによって付与される弾性力にて、チップＣＢを第１規制位置に保持するので、例えば図４（Ｂ）のＡＡ部に示すように、チップが一旦ワークから離間した後、再度ワークに切り込むような場合、ワークから離間した際のチップが揺動範囲内でふらつくことを回避し、チップＣＢを第１規制位置に保持することができるので、再度ワークに切り込む際、適切なすくい角で切り込むことができる。
なお、穴部ＰＨ、ピンＰ、弾性部材ＰＳを省略した場合、カッターボディ１０の回転速度の加速中（速度が増加中）であれば、チップＣＢを第１規制位置に保持することができ、カッターボディ１０の回転速度の減速中（速度が減衰中）であれば、チップＣＢを第２規制位置に保持することができる。
【００２２】
ピンＰにてチップＣＢを第１規制位置に保持する構成を有する場合、チップＣＢがワークＷや砥石Ｔから離間している状態では、切削工具１を逆転方向に回転させてもチップＣＢを第２規制位置まで揺動させることはできない。ただし、逆転方向に回転させることで、チップＣＢの外周面の一部が規制部１２に形成された第２規制面２０Ｃにて支持されてチップＣＢを第２規制位置に保持することが可能な状態へとすることができる。
ここで、更に、逆転方向に回転させた切削工具１に、カッター回転軸ＣＺに直交する面（研磨面）を有する砥石Ｔをカッター回転軸ＣＺ方向から押し付けると、図１（Ｂ）に示すように、チップＣＢは第２規制位置に揺動して保持される。チップＣＢを第２規制位置に保持すると、各チップＣＢの逃げ角がゼロとなるようにチップＣＢの形状が設定されており、逃げ面ＭＮ１を、カッター回転軸ＣＺに直交する直交面と一致させることが可能となる（各チップＣＢの逃げ面ＭＮ１を、全て研磨面と一致させることが可能となる）。
なお、ピンＰを介してチップＣＢに付与される弾性力の大きさは、研磨面をチップＣＢに押し付ける力と、研磨面上を逆転方向に回転させてチップＣＢを研磨する研磨抵抗の力と、によってチップＣＢが支軸３０回りに第２規制位置に向かって揺動する方向に付与される力（ピンＰを穴部ＰＨに押し込む方向の力）よりも小さな力に設定されている。なお、第２規制位置は、図１（Ｂ）に示すチップＣＢの位置であり、チップＣＢの揺動範囲の他方の端となる位置である。
【００２３】
このように、作業者がチップＣＢを１個ずつ調整する必要がなく、切削工具１の回転方向を変更する（切替え手段に相当）だけで、チップＣＢの角度を、ワークを切削するための角度と、チップＣＢを研磨するための角度と、に容易に変更することができる切削工具１を実現することができる。
切削工具１を正転方向に回転させてワークＷをチップに当接させると、全てのチップＣＢが第１規制位置に自動的に保持されてワークＷを切削可能となる。
切削工具１を逆転方向に回転させて研磨面をチップに当接させると、全てのチップＣＢが第２規制位置に自動的に保持されて全てのチップを同時に研磨可能となる。
また研磨の際、チップＣＢを１個ずつ研磨するのでなく、全部のチップＣＢをまとめて同時に研磨することができるので、研磨時間も大幅に短縮することができる。
【００２４】
●［チップの形状が略四角形の場合における、チップＣＢの他の形状と規制部１２の他の形状の例（図２）］
次に、図２（Ａ）、（Ｂ）を用いて、チップの形状が略四角形の場合における、チップＣＢの他の形状と規制部１２の他の形状の例について説明する。
図２（Ａ）は、ピンＰを支軸３０に対してワークＷと反対の側に設けた場合の正転時と逆転時の状態の例を示しており、図２（Ｂ）は、ピンＰを支軸３０に対してワークＷと同じ側に設けた場合の正転時と逆転時の状態の例を示している。どちらも正転時のチップＣＢの位置が第１規制位置であり、逆転時のチップＣＢの位置が第２規制位置であり、この第１規制位置と第２規制位置の間でチップＣＢは揺動する。
【００２５】
図２（Ａ）の左図、及び図２（Ｂ）の左図に示すように、正転時では、チップＣＢが第１規制位置に向かって揺動する方向と同じ方向に、弾性部材ＰＳの弾性力がピンＰを介してチップＣＢに付与される。
チップＣＢの外周面の一部は、第１規制面２０Ａ、２０Ｂに支持され、チップＣＢは第１規制位置に保持される。図２（Ａ）、（Ｂ）に示すチップＣＢでは、刃先Ｃ１を形成するすくい面ＭＳ１をチップの中心方向に向けて傾斜させているので、第１規制位置に保持されたチップＣＢが約−１０度程度に傾斜しているにもかかわらず、刃先Ｃ１のすくい角を約＋１０度程度とすることができる。
【００２６】
また、図２（Ａ）の右図、及び図２（Ｂ）の右図に示すように、逆転時に砥石Ｔ（カッター回転軸ＣＺに直交する研磨面を有している）をカッター回転軸ＣＺ方向から押し付けると（図１（Ｂ）参照）、チップＣＢの外周面の一部が第２規制面２０Ｃ、２０Ｄに支持され、チップＣＢは第２規制位置に保持される。
チップＣＢは、第２規制位置に保持された場合に逃げ角がゼロとなる形状に形成されており、第２規制位置に保持されたチップＣＢの逃げ面ＭＮ１は、すべてカッター回転軸ＣＺに直交する直交面（この場合、砥石Ｔの研磨面）と一致する。
すでに説明したように、弾性部材ＰＳの弾性力を適切な大きさに設定することで、逆転方向に回転しているチップＣＢに研磨面を押し付けて、チップＣＢを容易に第２規制位置に向かって揺動させることができる。
【００２７】
●［チップの形状が略三角形の切削工具１の例（図３）］
次に図３（Ａ）及び（Ｂ）を用いて、フライス型の切削工具１において、チップＣＢの形状が略三角形である切削工具１の例を説明する。
図１（Ａ）及び（Ｂ）に対して、図３（Ａ）及び（Ｂ）では、チップＣＢの形状が略四角形から略三角形に変更されており、規制部１２の形状も異なる。
また、図３（Ａ）に示すように、切削工具１を正転方向に回転させてワークＷをチップＣＢに当接させると、チップＣＢの外周面の一部が規制部１２に形成された第１規制面２０Ａに支持されて第１規制位置に保持され、約＋１０度のすくい角を有する刃先Ｃ１にて切削加工する切削工具１となる。
また、図３（Ｂ）に示すように、切削工具１を逆転方向に回転させて砥石Ｔをカッター回転軸ＣＺ方向から押し付けると、チップＣＢの外周面の一部が規制部１２に形成された第２規制面２０Ｃに支持されて第２規制位置に保持され、ゼロ度の逃げ角を有し、砥石ＴにてチップＣＢの全部の逃げ面ＭＮ１を同時に研磨可能な状態となる。
このように、チップＣＢの形状は、種々の形状とすることができる。
【００２８】
以上、本実施の形態にて説明した切削工具１を用いれば、チップＣＢを１個ずつ交換や調整等を行うことなく、切削工具１の回転方向を変更するだけで、チップＣＢのすくい角がワークＷを切削する適切な角度に設定された切削工具１として使用すること（正転時）と、チップＣＢの逃げ角が研磨に適切なゼロ度に設定された切削工具１として使用すること（逆転時）を、容易に切替えることができる。また、研磨の際は、逆転方向に回転している切削工具１に砥石Ｔを押し付けるだけで、全てのチップＣＢの逃げ面を同時に研磨することができる。
これにより、チップＣＢの再研磨を容易に且つ短時間に機上で（工作機械から取り外すことなく）行うことが可能であり、刃先寿命をより向上させることができるとともに再研磨の作業時間をより効率化することができる。
また、チップＣＢをカッターボディ１０に取り付けた後、及び切削工具１を工作機械に取り付けた後に研磨することができるので、チップＣＢの刃先Ｃ１の位置精度をより向上させることができる。
また、穴部ＰＨ、ピンＰ、弾性部材ＰＳの代わりに、エアを噴出するエア噴出口を設けるようにしてもよい。この場合、正転時には、弾性力の代わりにエアの圧力でチップＣＢを第１規制位置に保持することができる（弾性力を付与する方向と、エアの圧力を付与する方向とを同じにする）。また、エアを用いる場合、逆転時には、エアの供給を停止すれば、より容易にチップＣＢを第２規制位置に向かって揺動させることができる。
【００２９】
なお、以上の説明では、カッターボディ１０を正転方向に回転させた場合はチップＣＢを第１規制位置に保持してワークＷを切削し、カッターボディ１０を逆転方向に回転させて研磨面を押し付けた場合はチップＣＢを第２規制位置に保持してチップＣＢの逃げ面ＭＮ１を研磨する例を説明した。
次に図５を用いて、カッターボディ１０の回転方向を変更することなくチップＣＢを第１規制位置、または第２規制位置に選択的に保持する別の構造について説明する。
図５（Ａ）及び（Ｂ）に示すように、カッターボディ１０の外周を覆うとともに、カッターボディ１０に対してカッターボディ１０の周方向、及びカッター回転軸ＣＺ方向に相対移動可能なソケット２０を使用する。ソケット２０は、相対移動先で、カッターボディ１０に対する位置を固定することが可能である。
ソケット２０には、チップＣＢ毎に、第１規制面２０Ａ、２０Ｂ（規制部に相当）が形成されており、カッターボディ１０に対する第１規制面２０Ａ、２０Ｂの位置を相対的に移動させることで、カッターボディ１０の回転方向を変更することなく、チップＣＢを第１規制位置、または第２規制位置に選択的に保持することが可能となる。
カッターボディ１０に対するソケット２０の位置が図５（Ａ）の例に示す位置である場合、カッターボディ１０を正転方向に回転させてワークＷを押し付けた場合、チップＣＢは図５（Ａ）に示す第１規制位置に保持されてワークＷを切削することが可能である。この場合、チップＣＢは第１規制面２０Ａに支持されて第１規制位置に保持されている。
またカッターボディ１０に対するソケット２０の位置が図５（Ｂ）の例に示す位置である場合、カッターボディ１０を正転方向に回転させて研磨面ＭＫを押し付けた場合、チップＣＢのすくい面ＭＳを、カッター回転軸ＣＺに直交する研磨面と一致させることができる。この場合、チップＣＢは第１規制面２０Ｂに支持されて第２規制位置に保持されている。
【００３０】
本発明の切削工具１は、本実施の形態で説明した外観、構成、形状、手順等に限定されず、本発明の要旨を変更しない範囲で種々の変更、追加、削除が可能である。
また、本実施の形態の説明に用いた数値は一例であり、この数値に限定されるものではない。
また、以上（≧）、以下（≦）、より大きい（＞）、未満（＜）等は、等号を含んでも含まなくてもよい。
また、穴部ＰＨ、ピンＰ、弾性部材ＰＳは省略してもよい。
【図面の簡単な説明】
【００３１】
【図１】チップの形状が略四角形の切削工具１の例を説明する図である。
【図２】チップの形状が略四角形の場合における、チップＣＢの他の形状と規制部１２の他の形状の例を説明する図である。
【図３】チップの形状が略三角形の切削工具１の例を説明する図である。
【図４】従来の、フライス型の切削工具１００（刃先一体型切削工具）の例を説明する図である。
【図５】カッターボディ１０の回転方向を変更することなく、ソケット２０（切替え手段に相当）を備えてチップＣＢを第１規制位置、または第２規制位置に選択的に保持する別の構造について説明する図である。
【符号の説明】
【００３２】
１        切削工具
１０      カッターボディ
１２      規制部
２０      ソケット
２０Ａ、２０Ｂ    第１規制面
２０Ｃ、２０Ｄ    第２規制面
３０      支軸
Ｃ１      刃先
ＣＢ      チップ
ＣＺ      カッター回転軸
ＭＫ      研磨面
ＭＮ、ＭＮ１      逃げ面
ＭＳ、ＭＳ１      すくい面
θＮ      逃げ角
θＳ      すくい角
Ｐ        ピン
ＰＨ      穴部
ＰＳ      弾性部材
Ｗ        ワーク
Ｔ        砥石
【図１】
2010149231.tif 000003
【図２】
2010149231.tif 000004
【図３】
2010149231.tif 000005
【図４】
2010149231.tif 000006
【図５】
2010149231.tif 000007